【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
合成信号の各周波数セグメントを生成する段階と、
各出力信号を生成するために、各ＣＳＤ位相シフト（巡回シフト遅延位相シフト）を前記各周波数セグメントに適用する段階と、
前記各出力信号に基づいている信号を送信することで、前記合成信号を送信する段階と
を備え、
前記各周波数セグメントのそれぞれはセグメント帯域幅に基づいており、
前記各周波数セグメントは周波数領域において連続しており、
第１のＣＳＤ位相シフトおよび第２のＣＳＤ位相シフトを含む前記各ＣＳＤ位相シフトは、１つの周波数セグメントを有する連続した非合成信号に対応する第３のＣＳＤ位相シフトに等しく、    前記１つの周波数セグメントの帯域幅は、前記セグメント帯域幅の少なくとも２倍であり、
前記各ＣＳＤ位相シフトは、前記合成信号を受信するデバイスが、前記連続した非合成信号に対応する前記第３のＣＳＤ位相シフトを利用するように適用される、方法。
【請求項２】
前記セグメント帯域幅が少なくとも８０ＭＨｚである、請求項１に記載の方法。
【請求項３】
前記合成信号の合成帯域幅が少なくとも１６０ＭＨｚである、請求項１または２に記載の方法。
【請求項４】
前記合成信号に対するＣＳＤ位相シフトの適用に関する情報を提供するインジケータを送信する段階を備える、請求項１から３のいずれか一項に記載の方法。
【請求項５】
前記インジケータは、少なくとも２つの無線パスからの連続合成信号の送信を示すフラグを含む、請求項４に記載の方法。
【請求項６】
連続周波数モードで前記合成信号を集合的に生成するために、連続周波数送信または非連続周波数送信のいずれかに利用可能な第１の無線パスおよび第２の無線パスを含む各無線パスを構成する段階を備え、
前記各無線パスを構成する段階は、
前記第１の無線パスにおいて、前記各周波数セグメントの第１の周波数セグメントに第１のＣＳＤオフセットを設定する段階と、
前記第２の無線パスにおいて、前記各周波数セグメントの第２の周波数セグメントに第２のＣＳＤオフセットを設定する段階と
を有し、
前記第１のＣＳＤ位相シフトは、前記第１のＣＳＤオフセットに基づいており、
前記第２のＣＳＤ位相シフトは、前記第２のＣＳＤオフセットに基づいている、請求項１から５のいずれか一項に記載の方法。
【請求項７】
前記各ＣＳＤ位相シフトを適用する段階は、
第１の出力信号を生成するために、前記第１の無線パスで、前記第１の周波数セグメントに前記第１のＣＳＤ位相シフトを適用する段階と、
第２の出力信号を生成するために、前記第２の無線パスで、前記第２の周波数セグメントに前記第２のＣＳＤ位相シフトを適用する段階と
を有する、請求項６に記載の方法。
【請求項８】
合成信号の各周波数セグメントを生成する手段と、
各出力信号を生成するために、各ＣＳＤ位相シフト（巡回シフト遅延位相シフト）を前記各周波数セグメントに適用する手段と、
前記各出力信号に基づいている信号を送信することで、前記合成信号を送信する手段と
を備え、
前記各周波数セグメントのそれぞれはセグメント帯域幅に基づいており、
前記各周波数セグメントは周波数領域において連続しており、
第１のＣＳＤ位相シフトおよび第２のＣＳＤ位相シフトを含む前記各ＣＳＤ位相シフトは、１つの周波数セグメントを有する連続した非合成信号に対応する第３のＣＳＤ位相シフトに等しく、
前記１つの周波数セグメントの帯域幅は、前記セグメント帯域幅の少なくとも２倍であり、
前記各ＣＳＤ位相シフトは、前記合成信号を受信するデバイスが、前記連続した非合成信号に対応する前記第３のＣＳＤ位相シフトを利用するように適用される、装置。
【請求項９】
前記セグメント帯域幅が少なくとも８０ＭＨｚである、請求項８に記載の装置。
【請求項１０】
前記合成信号の合成帯域幅が少なくとも１６０ＭＨｚである、請求項８または９に記載の装置。
【請求項１１】
前記合成信号に対するＣＳＤ位相シフトの適用に関する情報を提供するインジケータを提供する手段を備える、請求項８から１０のいずれか一項に記載の装置。
【請求項１２】
前記インジケータは、少なくとも２つの無線パスからの連続合成信号の送信を示すフラグを含む、請求項１１に記載の装置。
【請求項１３】
連続周波数モードで前記合成信号を集合的に生成するために、連続周波数送信または非連続周波数送信のいずれかに利用可能な第１の無線パスおよび第２の無線パスを含む各無線パスを構成する手段を備える、請求項８から１２のいずれか一項に記載の装置。
【請求項１４】
前記構成する手段は、
前記第１の無線パスにおいて、前記各周波数セグメントの第１の周波数セグメントに第１のＣＳＤオフセットを設定する手段と、
前記第２の無線パスにおいて、前記各周波数セグメントの第２の周波数セグメントに第２のＣＳＤオフセットを設定する手段と
を有し、
前記第１のＣＳＤ位相シフトは、前記第１のＣＳＤオフセットに基づいており、
前記第２のＣＳＤ位相シフトは、前記第２のＣＳＤオフセットに基づいている、請求項１３に記載の装置。
【請求項１５】
前記適用する手段は、
第１の出力信号を生成するために、前記第１の無線パスで、前記第１の周波数セグメントに前記第１のＣＳＤ位相シフトを適用する手段と、
第２の出力信号を生成するために、前記第２の無線パスで、前記第２の周波数セグメントに前記第２のＣＳＤ位相シフトを適用する手段と
を有する、請求項１４に記載の装置。
【請求項１６】
コンピュータープログラムであって、
データ処理装置に、
合成信号の各周波数セグメントを生成する段階と、
各出力信号を生成するために、各ＣＳＤ位相シフト（巡回シフト遅延位相シフト）を前記各周波数セグメントに適用する段階と、
前記各出力信号に基づいている信号を送信することで、前記合成信号を送信する段階と
を備える動作を実行させ、
前記各周波数セグメントのそれぞれはセグメント帯域幅に基づいており、
前記各周波数セグメントは周波数領域において連続しており、
第１のＣＳＤ位相シフトおよび第２のＣＳＤ位相シフトを含む前記各ＣＳＤ位相シフトは、１つの周波数セグメントを有する連続した非合成信号に対応する第３のＣＳＤ位相シフトに等しく、
前記１つの周波数セグメントの帯域幅は、前記セグメント帯域幅の少なくとも２倍であり、
前記各ＣＳＤ位相シフトは、前記合成信号を受信するデバイスが、前記連続した非合成信号に対応する前記第３のＣＳＤ位相シフトを利用するように適用される、コンピュータープログラム。
【請求項１７】
前記セグメント帯域幅が少なくとも８０ＭＨｚである、請求項１６に記載のコンピュータープログラム。
【請求項１８】
前記合成信号の合成帯域幅が少なくとも１６０ＭＨｚである、請求項１６または１７に記載のコンピュータープログラム。
【請求項１９】
前記動作は、
連続周波数モードで前記合成信号を集合的に生成するために、連続周波数送信または非連続周波数送信のいずれかに利用可能な第１の無線パスおよび第２の無線パスを含む各無線パスを構成する段階を備え、
前記各無線パスを構成する段階は、
前記第１の無線パスにおいて、前記各周波数セグメントの第１の周波数セグメントに第１のＣＳＤオフセットを設定する段階と、
前記第２の無線パスにおいて、前記各周波数セグメントの第２の周波数セグメントに第２のＣＳＤオフセットを設定する段階と
を有し、
前記第１のＣＳＤ位相シフトは、前記第１のＣＳＤオフセットに基づいており、
前記第２のＣＳＤ位相シフトは、前記第２のＣＳＤオフセットに基づいている、請求項１６から１８のいずれか一項に記載のコンピュータープログラム。
【請求項２０】
合成信号の各周波数セグメントを生成する複数の回路を備え、
前記各周波数セグメントのそれぞれはセグメント帯域幅に基づいており、
前記各周波数セグメントは周波数領域において連続しており、
前記複数の回路は、前記合成信号の各出力信号を生成するために、各ＣＳＤ位相シフト（巡回シフト遅延位相シフト）を前記各周波数セグメントに適用し、
第１のＣＳＤ位相シフトおよび第２のＣＳＤ位相シフトを含む前記各ＣＳＤ位相シフトは、１つの周波数セグメントを有する連続した非合成信号に対応する第３のＣＳＤ位相シフトに等しく、
前記１つの周波数セグメントの帯域幅は、前記セグメント帯域幅の少なくとも２倍であり、
前記各ＣＳＤ位相シフトは、前記合成信号を受信するデバイスが、前記連続した非合成信号に対応する前記第３のＣＳＤ位相シフトを利用するように適用される、システム。
【請求項２１】
前記セグメント帯域幅が少なくとも８０ＭＨｚであり、前記合成信号の合成帯域幅が少なくとも１６０ＭＨｚである、請求項２０に記載のシステム。
【請求項２２】
連続周波数モードで前記合成信号を集合的に生成するために、連続周波数送信または非連続周波数送信のいずれかに利用可能な第１の無線ユニットおよび第２の無線ユニットを含む前記複数の回路を制御する複数のプロセッサエレクトロニクスを備える、請求項２０または２１に記載のシステム。
【請求項２３】
複数のプロセッサエレクトロニクスは、
前記第１の無線ユニットにおいて、前記各周波数セグメントの第１の周波数セグメントに第１のＣＳＤオフセットを設定し、
前記第２の無線ユニットにおいて、前記各周波数セグメントの第２の周波数セグメントに第２のＣＳＤオフセットを設定し、
前記第１のＣＳＤ位相シフトは、前記第１のＣＳＤオフセットに基づいており、前記第２のＣＳＤ位相シフトは、前記第２のＣＳＤオフセットに基づいている、請求項２２に記載のシステム。
【手続補正２】
【補正対象書類名】明細書
【補正対象項目名】００５２
【補正方法】変更
【補正の内容】
【００５２】
他の実施形態も以下の請求項の範囲に含まれている。
なお、本願明細書に記載の実施形態によれば、以下の構成もまた開示される。
［項目１］
連続周波数モードで合成信号を集合的に生成するために、連続周波数送信または非連続周波数送信に利用可能な第１の無線パスおよび第２の無線パスを含む、別個の無線パスを構成する段階と、
前記第１の無線パスで、セグメント帯域幅に応じて、前記合成信号の第１の周波数セグメントを生成する段階と、
前記第２の無線パスで、前記セグメント帯域幅に応じて、前記合成信号の、前記第１の周波数セグメントと周波数領域において連続している第２の周波数セグメントを生成する段階と、
第１の出力信号を生成するために、前記第１の無線パスで、前記第１の周波数セグメントに第１のＣＳＤ位相シフト（第１の巡回シフト遅延位相シフト）を適用する段階と、
第２の出力信号を生成するために、前記第２の無線パスで、前記第２の周波数セグメントに第２のＣＳＤ位相シフトを適用する段階と、
前記第１の出力信号および前記第２の出力信号を含む信号を送信することで、前記合成信号を送信する段階と
を備え、
前記第１のＣＳＤ位相シフトおよび前記第２のＣＳＤ位相シフトは、１つの周波数セグメントを有する連続した非合成信号に対応するＣＳＤ位相シフトに等しく、
前記第１のＣＳＤ位相シフトおよび前記第２のＣＳＤ位相シフトは、前記合成信号を受信するデバイスが、前記連続した非合成信号に対応する前記ＣＳＤ位相シフトを利用するように適用される、方法。
［項目２］
前記別個の無線パスを構成する段階は、
前記第１の無線パスに、前記第１の周波数セグメントの第１のＣＳＤオフセットを設定する段階を有しており、
前記第１のＣＳＤ位相シフトは、前記第１のＣＳＤオフセットに基づいている、項目１に記載の方法。
［項目３］
前記別個の無線パスを構成する段階は、
前記第２の無線パスに、前記第２の周波数セグメントの第２のＣＳＤオフセットを設定する段階を有しており、
前記第２のＣＳＤ位相シフトは、前記第２のＣＳＤオフセットに基づいている、項目２に記載の方法。
［項目４］
前記合成信号の合成帯域幅は、前記セグメント帯域幅の二倍に等しい、項目１から３のいずれか一項に記載の方法。
［項目５］
前記セグメント帯域幅が８０ＭＨｚである、項目４に記載の方法。
［項目６］
前記合成信号に対するＣＳＤ位相シフトの適用に関する情報を提供するインジケータを送信する段階をさらに備える、項目１から５のいずれか一項に記載の方法。
［項目７］
両方とも連続周波数送信または非連続周波数送信に利用可能な第１の無線ユニットおよび第２の無線ユニットと、プロセッサエレクトロニクスとを備える装置であって、
前記第１の無線ユニットは、
セグメント帯域幅に応じて、合成信号の第１の周波数セグメントを生成して、
第１の出力信号を生成するために、前記第１の周波数セグメントに第１のＣＳＤ位相シフト（第１の巡回シフト遅延位相シフト）を適用して、
前記第２の無線ユニットは、
前記セグメント帯域幅に応じて、前記合成信号の、前記第１の周波数セグメントと周波数領域において連続している第２の周波数セグメントを生成して、
第２の出力信号を生成するために、前記第２の周波数セグメントに第２のＣＳＤ位相シフトを適用して、
前記プロセッサエレクトロニクスは、連続周波数モードで前記合成信号を集合的に生成するために、前記第１の無線ユニットおよび前記第２の無線ユニットを制御して、
前記第１のＣＳＤ位相シフトおよび前記第２のＣＳＤ位相シフトは、１つの周波数セグメントを有する連続した非合成信号に対応するＣＳＤ位相シフトに等しく、
前記第１のＣＳＤ位相シフトおよび前記第２のＣＳＤ位相シフトは、前記合成信号を受信するデバイスが、前記連続した非合成信号に対応する前記ＣＳＤ位相シフトを利用するように適用される、装置。
［項目８］
前記プロセッサエレクトロニクスは、
前記第１の無線ユニットで、前記第１の周波数セグメントの第１のＣＳＤオフセットを設定して、
前記第１のＣＳＤ位相シフトは、前記第１のＣＳＤオフセットに基づいている、項目７に記載の装置。
［項目９］
前記プロセッサエレクトロニクスは、
前記第２の無線ユニットで、前記第２の周波数セグメントの第２のＣＳＤオフセットを設定して、
前記第２のＣＳＤ位相シフトは、前記第２のＣＳＤオフセットに基づいている、項目８に記載の装置。
［項目１０］
前記合成信号の合成帯域幅は、前記セグメント帯域幅の二倍に等しい、項目７から９のいずれか一項に記載の装置。
［項目１１］
前記セグメント帯域幅が８０ＭＨｚである、項目１０に記載の装置。
［項目１２］
前記プロセッサエレクトロニクスは、
前記合成信号に対するＣＳＤ位相シフトの適用に関する情報を提供するインジケータの送信を制御する、項目７から１１のいずれか一項に記載の装置。
［項目１３］
両方とも連続周波数送信または非連続周波数送信に利用可能な第１の無線ユニットおよび第２の無線ユニットと、回路と、プロセッサエレクトロニクスとを備えるシステムであって、
前記第１の無線ユニットは、
セグメント帯域幅に応じて、合成信号の第１の周波数セグメントを生成して、
第１の出力信号を生成するために、前記第１の周波数セグメントに第１のＣＳＤ位相シフト（第１の巡回シフト遅延位相シフト）を適用して、
前記第２の無線ユニットは、
前記セグメント帯域幅に応じて、前記合成信号の、前記第１の周波数セグメントと周波数領域において連続している第２の周波数セグメントを生成して、
第２の出力信号を生成するために、前記第２の周波数セグメントに第２のＣＳＤ位相シフトを適用して、
前記回路は、ｉ）前記第１の出力信号と、ｉｉ）前記第２の出力信号との合計に基づいて前記合成信号を生成して、前記合成信号を１以上のアンテナインターフェースに分配して、
前記プロセッサエレクトロニクスは、連続周波数モードで前記合成信号を集合的に生成するために、前記第１の無線ユニットおよび前記第２の無線ユニットを制御して、
前記第１のＣＳＤ位相シフトおよび前記第２のＣＳＤ位相シフトは、１つの周波数セグメントを有する連続した非合成信号に対応するＣＳＤ位相シフトに等しく、
前記第１のＣＳＤ位相シフトおよび前記第２のＣＳＤ位相シフトは、前記合成信号を受信するデバイスが、前記連続した非合成信号に対応する前記ＣＳＤ位相シフトを利用するように適用される、システム。
［項目１４］
前記プロセッサエレクトロニクスは、
前記第１の無線ユニットで、前記第１の周波数セグメントの第１のＣＳＤオフセットを設定して、
前記第１のＣＳＤ位相シフトは、前記第１のＣＳＤオフセットに基づいている、項目１３に記載のシステム。
［項目１５］
前記プロセッサエレクトロニクスは、
前記第２の無線ユニットで、前記第２の周波数セグメントの第２のＣＳＤオフセットを設定して、
前記第２のＣＳＤ位相シフトは、前記第２のＣＳＤオフセットに基づいている、項目１４に記載のシステム。
［項目１６］
前記合成信号の合成帯域幅は、前記セグメント帯域幅の二倍に等しい、項目１３から１５のいずれか一項に記載のシステム。
［項目１７］
前記セグメント帯域幅が８０ＭＨｚである、項目１６に記載のシステム。
［項目１８］
前記プロセッサエレクトロニクスは、
前記合成信号に対するＣＳＤ位相シフトの適用に関する情報を提供するインジケータの送信を制御する、項目１３から１７のいずれか一項に記載のシステム。